(57)【特許請求の範囲】
【請求項１】
注入装置において、
放出ノズルを有する注射器を受容するように構成されたハウジングであって、前記注射器は、前記注入装置の作動時に、前記放出ノズルが前記ハウジング内部に収容される後退位置から、前記注射器の前記放出ノズルが出口孔を通って前記ハウジングから延出する延出位置まで、長さ方向軸に沿って前記ハウジングの中で動くことができる、ハウジングと、
アクチュエータと、
前記アクチュエータにより作用され、その後、前記注射器に作用して前記注射器をその後退位置から延出位置まで進めて、前記放出ノズルを通して前記注射器の中身を放出するように構成された、駆動装置と、
係合位置から、前記出口孔において前記ハウジングの中へ向かう方向へ、係合解除位置まで動くことができるロック機構と、
前記注射器が前進させられる際に前記注射器を運び、前記注射器がその延出位置を越えて進むのを抑制する、注射器輸送部であって、前記注射器を支持するように構成される、注射器輸送部と、
前記ロック機構の係合位置では、前記ハウジングに対する前記注射器輸送部の動きを妨げるように構成され、前記ロック機構の係合解除位置では、前記注射器輸送部が前記ハウジングに対して動くことを可能にするようにさらに構成された、ラッチ部材と、
を含み、
前記ロック機構は、係合位置にあるときには前記装置の作動を妨げ、かつ係合解除位置にあるときには前記装置の作動を可能にするように構成され、
前記出口孔は、前記ハウジングの縁上に位置するリムにより画定され、
前記ロック機構は、前記ロック機構の露出端部にフランジを含み、前記フランジは、前記リムの少なくとも一部の上またはその周りに延びるように構成されていて組織に接触するように構成された接触面を有し、前記ロック機構がその係合解除位置にある時、前記フランジは前記リムに並置接触して隣接して位置する、注入装置。
【請求項２】
請求項１に記載の注入装置において、
前記ロック機構は、前記接触面から前記ハウジング内へ延びるアームをさらに含む、注入装置。
【請求項３】
請求項２に記載の注入装置において、
前記アームは、前記出口孔を通って前記ハウジング内へ延びる、注入装置。
【請求項４】
請求項３に記載の注入装置において、
前記出口孔の前記リムは、長円形または円形であり、
前記アームは、最初に前記出口孔の内面内部にくるように成形され位置付けられた、長円形または円形の断面を含む、注入装置。
【請求項５】
請求項２〜４のいずれか１項に記載の注入装置において、
前記リムは、開口部を含み、前記開口部を通って前記アームは前記ハウジング内へ延びる、注入装置。
【請求項６】
請求項２〜５のいずれか１項に記載の注入装置において、
前記ロック機構は、複数のアームを含む、注入装置。
【請求項７】
請求項６に記載の注入装置において、
前記ロック機構は、一対のアームを含む、注入装置。
【請求項８】
請求項１に記載の注入装置において、
前記ロック機構は、前記接触面から前記ハウジング内へ延びるスリーブをさらに含む、注入装置。
【請求項９】
請求項８に記載の注入装置において、
前記スリーブは、前記出口孔内に嵌まるように寸法が決められている、注入装置。
【請求項１０】
請求項８または９に記載の注入装置において、
前記出口孔の前記リムは、長円形または円形であり、
前記スリーブは、前記出口孔の内面内部に嵌まるように成形され位置付けられた、長円形または円形の断面を含む、注入装置。
【請求項１１】
請求項１〜１０のいずれか１項に記載の注入装置において、
前記接触面は、フープの第１の側に形成される、注入装置。
【請求項１２】
請求項１１に記載の注入装置において、
前記第１の側の反対側の、前記フープの第２の側が、前記出口孔の前記リムに面する、注入装置。
【請求項１３】
請求項１２に記載の注入装置において、
前記第２の側は、前記ロック機構がその係合位置から係合解除位置まで動くと、前記リムに向かって動く、注入装置。
【請求項１４】
請求項１１〜１３のいずれか１項に記載の注入装置において、
前記ロック機構は、前記ロック機構がその係合解除位置にあるときに前記フープの内側半径が前記リムを取り囲むように、前記注入装置上に配列される、注入装置。
【請求項１５】
請求項１〜１４のいずれか１項に記載の注入装置において、
前記ロック機構は、前記係合位置と前記係合解除位置との間で動くことができる第１の部材を含む、注入装置。
【請求項１６】
請求項２〜７のいずれか１項に従属する請求項１５に記載の注入装置において、
前記第１の部材は、前記接触面に接続された前記アームである、注入装置。
【請求項１７】
請求項８または９に従属する請求項１５に記載の注入装置において、
前記第１の部材は、前記接触面に接続された前記スリーブである、注入装置。
【請求項１８】
請求項１５〜１７のいずれか１項に記載の注入装置において、
前記第１の部材は、ラッチ開口部を含み、前記ラッチ部材が前記注射器輸送部のロック面に係合する前に前記ラッチ部材は前記ラッチ開口部を通って突出し、前記第１の部材はカムとして、前記ラッチ部材はカム従動部として作用し、前記第１の部材がその係合位置から係合解除位置まで動くと、前記ラッチ部材が前記ロック面から係合解除される、注入装置。
【請求項１９】
請求項１８に記載の注入装置において、
前記ラッチ部材は、斜面を含み、前記第１の部材の表面は前記斜面に対して作用して、前記ラッチ部材を前記ロック面から係合解除する、注入装置。
【請求項２０】
請求項１９に記載の注入装置において、
前記ラッチ部材は、前記ハウジング上に設けられる、注入装置。
【請求項２１】
請求項１〜２０のいずれか１項に記載の注入装置において、
非作動位置と作動位置との間で動くことができるトリガー機構であって、非作動位置にあるときには前記アクチュエータが前記駆動装置に作用するのを妨げ、かつ作動位置にあるときには前記アクチュエータが前記駆動装置に作用することを可能にするように構成される、トリガー機構、
をさらに含む、注入装置。
【請求項２２】
請求項２１に記載の注入装置において、
前記ロック機構は、インターロック部材をさらに含み、前記インターロック部材は、前記ロック機構がその係合位置にあるときに前記トリガー機構がその非作動位置から作動位置へ動くのを妨げるロック位置と、前記ロック機構がその係合解除位置にあるときに前記トリガー機構がその非作動位置から作動位置へ動くことを可能にする解放位置との間で動くことができる、注入装置。
【発明の詳細な説明】
【開示の内容】
【０００１】
〔発明の分野〕
本発明は、注射器を受容し、注射器を延ばし、注射器の中身を放出するタイプの、自己注入器として一般に知られる、注入装置に関する。
【０００２】
〔発明の背景〕
自己注入器は、ＷＯ９５／３５１２６およびＥＰ−Ａ−Ｏ  ５１６  ４７３から知られており、駆動バネと、何らかの形の解放機構と、を利用する傾向がある。解放機構は、いったん注射器の中身が放出されたと考えられたら注射器を駆動バネの影響から解放し、戻しバネにより注射器を後退させる。
【０００３】
自己注入器は、ＷＯ２００７／０３６６７６から既知であり、これは、解放機構が作動され得る前に係合解除されなければならないロック機構を有している。ロック機構は、そのロック位置で、例えば注射針を覆う覆い（boot）をつかんでいるキャップが取り外されたときに、戻しバネの付勢に対抗して注入装置から注射器が前方へ動くことも防ぐ。ＷＯ２００７／０３６６７６に記載された注入装置では、ロック機構は、注入装置の開口端部から突出するスリーブを含む。スリーブは、ロック機構を係合解除するよう克服されなければならない弾性バネ機構によって、その延出位置へ付勢される。ロック機構は、例えばスライドスリーブを注入装置内へと内側に動かすことによって、係合解除され得る。これは、組織に対してスライドスリーブの端部を押し付け、その後、解放機構を作動させることにより、行われることができる。
【０００４】
スリーブは、注入装置のハウジングにより囲まれており、ハウジングは、スライドスリーブの動きに対して作用するように摩擦を生じる。これは、注入装置に作用する、ある量の力が組織に対して加えられることを必要とし、このことが、使用者にとって痛く、装置が適切に動いていない感じを与える場合があるので、望ましくない。さらに、摩擦は、スリーブが注入装置から後方に動くのを妨げ得る。これは、弾性バネ機構がハウジングとスリーブとの間の摩擦を克服するのに十分でない場合があるためである。さらに、ロック機構の係合位置ではハウジングの端部から突出する、スリーブのリムは、スリーブを囲むハウジングのリムをつかみ、それにより、例えば注入装置が解放機構の作動前に組織から取り外される場合に、スリーブがその係合位置に自動的に戻るのを防ぐことができる。
【０００５】
ロック機構を自由に係合解除させることは、解放機構が非意図的に作動されて注入装置の偶発的な作動を引き起こし得るので、望ましくない。これは、危険であり、不経済でもある。
【０００６】
〔発明の概要〕
本発明の注入装置は、前述の問題に取り組むように設計される。
【０００７】
本発明の一態様では、注入装置が提供され、注入装置は、
放出ノズルを有する注射器を受容するように構成されたハウジングであって、注射器は、放出ノズルがハウジング内部に収容される後退位置から、注射器の放出ノズルが出口孔を通ってハウジングから延出する延出位置へと、長さ方向軸に沿って注入装置の作動時にハウジングの中を移動できる、ハウジングと、
アクチュエータと、
アクチュエータにより作用され、次に注射器に作用して後退位置から延出位置まで注射器を前進させ、放出ノズルを通して注射器の中身を放出するように構成された、駆動装置と、
係合位置から係合解除位置へと、出口孔においてハウジングの中に入る方向に動くことができる、ロック機構と、
を含み、
ロック機構は、係合位置にあるときに装置の作動を防ぎ、係合解除位置にあるときに装置の作動を許容するように構成され、
出口孔は、ハウジングの縁に位置するリムにより画定され、
ロック機構は、リムの少なくとも一部の上、またはその周りに延びるように構成された接触面を含む。
【０００８】
例えばフランジの形をした、接触面を設けることにより、ロック機構は、さらに容易に係合および係合解除されることができる。これは、接触面が組織に対する改善された接触領域をもたらすためである。これは、組織に加えられるロック機構からの点圧力が減少することを意味する。さらに、接触面は、ロック機構が摩擦またはもつれ（snagging）によって出口孔のリムに引っかかることを防ぐ。よって、注入装置の、より安全な使用が達成される。
【０００９】
一実施形態では、ロック機構は、接触面からハウジング内へ延びるアームをさらに含む。アームは、出口孔を通ってハウジング内へ延びることができる。アームは、リムの内部ハウジング面において周辺全体に接触しない。よって、（単純な直線スリーブの構成と比べると）リム／ハウジングとアームとの間の摩擦は減少している。したがって、ロック機構は、引っかかったりもつれたりしにくくなる。
【００１０】
好ましくは、出口孔のリムは、長円形または円形であり、アームは、出口孔の内面の中に部分的に存在するように成形され位置付けられた長円形または円形の断面を含む。
【００１１】
代わりに、リムは、孔を含み、この孔を通ってアームはハウジング内へ延びる。孔は、アームを支持し、ロック機構に構造的強度を与える。
【００１２】
ロック機構は、複数のアームを含んでよい。さらに好ましくは、ロック機構は、一対のアームを含む。
【００１３】
本発明の代替的な実施形態では、ロック機構は、接触面からハウジング内へ延びるスリーブをさらに含むことができる。好ましくは、スリーブは、出口孔内に嵌まるように寸法が決められている。
【００１４】
出口孔のリムは、長円形または円形であってよく、スリーブは、したがって、出口孔の内面の中に嵌まるように成形され位置付けられた長円形または円形の断面を含むことができる。
【００１５】
好ましくは、接触面は、フープの第１の側に形成され、第１の側の反対の、フープの第２の側は、出口孔のリムに面する。この構成では、第２の側は、ロック機構がその係合位置から係合解除位置まで動かされると、リムに向かって動く。好ましくは、解放機構は、注入装置の上に配列され、フープの内側半径は、解放機構がその係合解除位置にあるときにリムを囲む。
【００１６】
本発明の一実施形態では、注入装置は、
注射器が前進するときに注射器を運び、注射器がその延出位置を越えて前進するのを抑制する、注射器輸送部であって、注射器を支持するように構成された、注射器輸送部と、
ロック機構の係合位置では、ハウジングに対する注射器輸送部の動きを防ぐように構成され、ロック機構の係合解除位置では、ハウジングに対して注射器輸送部が動くことを許容するようにさらに構成された、ラッチ部材と、
をさらに含む。
【００１７】
好ましくは、ロック機構は、係合位置と係合解除位置との間を動くことができる第１の部材を含む。
【００１８】
第１の部材は、接触面に接続されたアームであってよい。代わりに、第１の部材は、接触面に接続されたスリーブであってもよい。
【００１９】
第１の部材は、ラッチ開口部を含んでよく、ラッチ部材が注射器輸送部のロック面に係合する前に、そのラッチ開口部を通ってラッチ部材が突出し、第１の部材はカムとして、またラッチ部材はカム従動部として作用し、係合位置から係合解除位置へ第１の部材が動くと、ラッチ部材がロック面から係合解除される。
【００２０】
ラッチ部材は、傾斜面を含むことができ、第１の部材の表面は、その傾斜面に対して作用して、ラッチ部材をロック面から係合解除する。有利にも、ラッチ部材は、ハウジング上に設けられてよい。
【００２１】
本発明の一実施形態では、注入装置は、解放機構を含み、解放機構は、非作動位置と作動位置との間を動くことができ、解放機構は、その非作動位置にあるときにはアクチュエータが駆動装置に対して作用することを防ぎ、作動位置にあるときにはアクチュエータが駆動装置に作用することを許容するように構成されている。好ましくは、ロック機構は、インターロック部材をさらに含み、このインターロック部材は、ロック機構がその係合位置にあるときに、非作動位置から作動位置へ解放機構が動くことを防ぐロック位置と、解放機構がその係合解除位置にあるときに、非作動位置から作動位置へ解放機構が動くことを可能にする解放位置との間で動くことができる。
【００２２】
本発明は、添付図面を参照して、例として説明される。
【００２３】
〔図面の詳細な説明〕
図１は、注入装置ハウジング１１２の端部、およびキャップ１１１を示す。装置の他の部分は、以下でさらに詳細に説明されるが、キャップ１１１がハウジングの端部における対応するねじ山１１５と協働するねじ山１１３を含むことが分かる。ハウジング１１２の端部は、出口孔１２８（リム１２８ａにより形成された）を有し、出口孔から、スリーブ１１９の端部が現れるのを見ることができる。キャップ１１１は中央突起１２１を有し、中央突起は、図２で見ることができるように、キャップ１１１がハウジング１１２に取り付けられると、スリーブ１１９内に嵌まる。
【００２４】
スリーブ１１９は、露出端部に接触面１１９ｂを有するフランジ１１９ａを有し、接触面１１９ｂは、組織に押し付けられると組織に接触するように構成されている。スリーブ１１９は、フランジ１１９ａがリム１２８ａから離間するロック位置から、フランジ１１９ａがリム１２８ａに並置接触して（in contacting juxtaposition）隣接する位置に押し込まれる非ロック位置まで、スライドすることができる。これは、図４ａ、図４ｂおよび図５に関連して、以下でさらに詳細に図示および説明する。
【００２５】
図３は、注入装置１１０をさらに詳細に示す。ハウジング１１２は、従来型の皮下注射器１１４を収容し、皮下注射器１１４は、皮下注射針１１８で一端部が終端し、フランジ１２０で他端部が終端する、注射器本体１１６を含む。通常は注射器１１４の中身を手動で放出するのに使用される従来のプランジャは、取り外され、栓１２２で終端する駆動要素１３４と取り替えられている。栓１２２は、注射器本体１１６内部に、投与されるべき薬剤１２４を閉じ込める。示される注射器は、皮下型であるが、これは、必ずしもそうでなくてよい。経皮的またはバリスティック皮膚および皮下注射器（Transcutaneous or ballistic dermal and subcutaneous syringes）を、本発明の注入装置と共に使用することができる。示すように、ハウジング１１２は、戻しバネ１２６を含み、戻しバネ１２６は、針１１８がハウジング１１２の孔１２８から延出する延出位置から、放出ノズル１１８がハウジング１１２内部に収容される後退位置まで、注射器１１４を付勢する。戻しバネ１２６は、注射器輸送部１２７を介して注射器１１４に作用する。
【００２６】
ハウジングの他端部にはアクチュエータがあり、アクチュエータは、ここでは、圧縮駆動バネ１３０の形をとっている。駆動バネ１３０からの推進力（Drive）は、多構成要素駆動装置によって注射器１１４に伝えられて、注射器をその後退位置から延出位置に進め、針１１８を通して注射器の中身を放出する。駆動装置は、薬剤１２４および注射器１１４に直接作用することによって、このタスクを達成する。薬剤１２４を通じて作用する静水力学的力、および、それほどではないにせよ、栓１２２と注射器本体１１６との間の静止摩擦は、戻しバネ１２６が最も低い位置にくる（bottoms out）かまたは注射器本体１１６がその運動を妨害する何らかの他の障害物（不図示）に当たるまで、栓１２２および注射器本体１１６が共に前進することを最初に確実にする。
【００２７】
駆動バネ１３０と注射器１１４との間の多構成要素駆動装置は、３つの主要な構成要素のみからなる。駆動スリーブ１３１が、駆動バネ１３０から推進力を受け取り、それを第１の駆動要素１３２の可撓性ラッチアーム１３３に伝達する。これにより、今度は、可撓性ラッチアーム１３５によって第２の駆動装置、すなわち既に述べた駆動要素１３４に、推進力が伝達される。
【００２８】
第１の駆動要素１３２は、中空のステム１４０を含み、その内側キャビティは、通気孔１４４と連絡する収集チャンバ１４２を形成し、通気孔１４４は、収集チャンバから、ステム１４０の端部を通って延びている。第２の駆動要素１３４は、ブラインドボア１４６を含み、ブラインドボア１４６は、ステム１４０を受容するため一端部で開口しており、他端部では閉じている。図に示すように、ボア１４６およびステム１４０は流体貯蔵部１４８を画定し、流体貯蔵部１４８の中に、減衰流体が収容される。
【００２９】
トリガー（不図示）が設けられ、このトリガーは、操作されると、ハウジング１１２から駆動スリーブ１３１を切り離すのに役立ち、駆動バネ１３０の影響を受けて駆動スリーブをハウジング１１２に対して動かす。この装置の操作はその後、以下のとおりとなる。
【００３０】
最初に、駆動バネ１３０は駆動スリーブ１３１を動かし、駆動スリーブ１３１は第１の駆動要素３２を動かし、第１の駆動要素１３２は第２の駆動要素１３４を動かす。いずれの場合も、可撓性ラッチアーム１３３、１３５を通じた作用によるものである。第２の駆動要素１３４は、動いて、静止摩擦、および投与されるべき薬剤１２４を通じて作用する静水力学的力によって、戻しバネ１２６の作用に抵抗して注射器本体１１６を動かす。戻しバネ１２６は圧縮され、皮下注射針１１８がハウジング１１２の出口孔１２８から出る。これは、戻しバネ１２６が最も低い位置にくるか、または注射器本体１１６がその運動を妨害する何らかの他の障害物（不図示）に当たるまで、続く。第２の駆動要素１３４と注射器本体１１６との間の静止摩擦、および投与されるべき薬剤１２４を通じて作用する静水力学的力が、駆動バネ１３０により生じる十分な駆動力に抵抗するのに十分ではないので、この時点で、第２の駆動要素１３４は、注射器本体１１６内部で動き始め、薬剤１２４は放出され始める。しかしながら、第２の駆動要素１３４と注射器本体１１６との間の動的摩擦、および、投与されるべき薬剤１２４を通じて作用する静水力学的力は、戻しバネ１２６をその圧縮状態に保つのには十分であるので、皮下注射針１１８は延出したままである。
【００３１】
第２の駆動要素１３４が注射器本体１１６内部でその移動の終わりに達する前に、したがって注射器の中身が完全に放出される前に、第１の駆動要素１３２および第２の駆動要素１３４を結合する可撓性ラッチアーム１３５は、ハウジング１１２内部の狭窄部１３７に達する。狭窄部１３７は、狭窄部１３７の傾斜面の助けを得て、可撓性ラッチアーム１３５を、図示の位置から、可撓性ラッチアームが第１の駆動要素１３２を第２の駆動要素１３４に連結しなくなる位置まで内側に動かす。いったんこれが起こると、第１の駆動要素１３２は、もはや第２の駆動要素１３４に作用せず、第１の駆動要素１３２が第２の駆動要素１３４に対して動く。
【００３２】
減衰流体は、第１の駆動要素１３２の端部と第２の駆動要素１３４のブラインドボア１４６との間に画定された貯蔵部１４８内部に収容されるので、第１の駆動要素１３２が駆動バネ１３０によって作用されたときに、第１の駆動要素１３２が第２の駆動要素１３４に対して動くと、貯蔵部１４６の容量は減少する傾向がある。貯蔵部１４８が潰れると、減衰流体は、通気孔１４４を通って収集チャンバ１４２内に押し込まれる。したがって、いったん可撓性ラッチアーム１３５が解放されると、駆動バネ１３０が及ぼす力は、減衰流体に対して作用して、通気孔１４４により形成された狭窄部を通して減衰流体を流し、流体を通じて、また第１の駆動要素１３２と第２の駆動要素１３４との間の摩擦を通じて、したがって第２の駆動要素１３４によって、流水静力学的にも作用する。減衰流体の流れに付随する損失は、注射器の本体に作用する力を、大きくは減衰させない。よって、戻しバネ１２６は、圧縮されたままであり、皮下注射針は延出したままである。
【００３３】
しばらくすると、第２の駆動要素１３４は、注射器本体１１６内部での移動を完了し、それ以上遠くには行けない。この時点で、注射器１１４の中身は、完全に放出され、駆動バネ１３０が及ぼす力は、第２の駆動要素１３４をその最終位置に保持するように、また、通気孔１４４を通して減衰流体を流し続けるように、作用し、第１の駆動要素１３２に運動を続けさせる。
【００３４】
流体の貯蔵部１４８が空になる前に、駆動スリーブ１３１を第１の駆動要素１３２と結合する可撓性ラッチアーム１３３は、ハウジング１１２内部の別の狭窄部１３９に到達する。狭窄部１３９は、狭窄部１３９の傾斜面の助けを得て、可撓性ラッチアーム１３３を、図示の位置から、可撓性ラッチアームが駆動スリーブ１３１を第１の駆動要素１３２に連結しなくなる位置まで内側に動かす。いったんこれが起こると、駆動スリーブ１３１はもはや第１の駆動要素１３２に作用せず、駆動スリーブおよび第１の駆動要素を互いに対して動かす。この時点で、当然注射器１１４は解放される。これは、駆動バネ１３０により生じた力が、もはや注射器１１４に伝達されていないためであり、注射器に作用する唯一の力は、戻しバネ１２６からの戻し力（return force）である。したがって、注射器１１４はいまやその後退位置に戻り、注入サイクルは完了する。
【００３５】
キャップ１１１がハウジング１１２の端部から取り外されれば、当然、これがすべて行われる。図３から分かるように、注射器の端部は、覆い１２３でシールされる。キャップ１１１がハウジング１１２に取り付けられるとスリーブ１１９内部に嵌まるキャップの中央突起１２１は、端部が中空であり、その中空端部のリップ１２５は、その前縁１５７で傾斜しているが、後縁では傾斜していない。したがって、キャップ１１１が取り付けられると、リップ１２５の前縁１５７は、覆い１２３の肩部１５９に乗る。しかしながら、キャップ１１１が取り外されると、リップ１２５の後縁は、肩部１５９の上に乗らない。これは、キャップ１１１が取り外されると覆い１２３が注射器１１４から引き離されることを意味する。
【００３６】
一方、図４ａ、図４ｂおよび図５から最も良く見ることができるように、注射器輸送部１２７（これに対して注射器１１４は動くことができない）は、弾性ラッチ部材１６１によって動くのを妨げられ、弾性ラッチ部材は、ハウジング１１２内部に位置しており、注射器輸送部１２７のロック面１６３に係合する位置へ付勢される。図４ａに示すように、ロック面１６３に係合する前、ラッチ部材１６１はまた、端部が出口孔１２８から突出しているスリーブ１１９のラッチ開口部１６５を通って延びる。ラッチ部材１６１は、斜面１６７を含み、ラッチ開口部１６５の縁１７１は、カム従動部に作用するカムのように、この斜面１６７に作用する。したがって、ハウジング１１２内へ入る方向へのスリーブ１１９の動き、または、言い換えれば、リム１２８ａの方へのフランジ１１９の押し下げにより、ラッチ開口部１６５の縁１７１がラッチ部材１６１の斜面１６７と接触し、さらなる押し下げは、図４ｂに示すように、ラッチ部材１６１を外側に動かし、よって、ロック面１６３から係合解除させる。スリーブ１１９は、フランジ１１９を注入部位で皮膚と接触させ、注入装置１１０を皮膚の方へ持っていくことにより、押し下げられることができる。いったんラッチ部材１６１がロック面１６３から係合解除されると、注射器輸送部１２７は、アクチュエータおよび駆動装置の影響を受けて、必要に応じて自由に動くことができる。
【００３７】
図６および図７は、装置をさらにどのように変えることができるかを示す。図６および図７は、図４ａ、図４ｂおよび図５とはいくらか細部が異なるが、ここで論じる原理は、図４ａ、図４ｂおよび図５で示す装置にも適用可能である。図示のとおり、装置は、一端部にボタン３０２を有し、一対の突出部３０４を有する、トリガー３００を含み、一対の突出部は、ハウジング１１２内側でピン（不図示）と協働して、トリガーを、２つの突出部３０４を通る軸を中心として旋回させる。ボタン３０２および突出部３０４の双方が固定されたトリガー３００の主要本体部分は、ロック部材３０６を形成する。図示の位置では、ボタン３０２から離れたロック部材３０６の端部は、駆動スリーブ１３１の端部に係合し、駆動スリーブの端部に対して駆動バネ１３０が作用し、駆動スリーブの端部が今度は、先に述べた多構成要素駆動装置に作用する。これにより、駆動スリーブ１３１が駆動バネ１３０の影響下で動くことが妨げられる。ボタン３０２が押し下げられると、トリガー３００は突出部３０４を中心として旋回し、これにより、ロック部材３０６の端部が、駆動スリーブ１３１と係合した状態から持ち上げられ、駆動スリーブ１３１が駆動バネ１３０の影響下で動くようになる。
【００３８】
図７は、ハウジング１１２の端部における出口孔１２８を示し、出口孔から、スリーブ１１９の端部が現れるのを再び見ることができる。図６に示すように、スリーブ１１９は、ボタンロック３１０に連結され、ボタンロック３１０は、スリーブ１１９と共に動く。トリガーは停止ピン３１２を含み、ボタンロック３１０は停止孔３１４を含み、これらは、図６に示すように、位置合わせされていない（out of register）。しかしながら、これらは、ボタンロック３１０の対応する動きを結果として生じるスリーブ１１９の内側への動きにより、位置合わせすることができる。停止ピン３１２および停止孔３１４は位置合わせされていない間、ボタン３０２は押し下げることができない。いったん停止ピンおよび停止孔が位置合わせされれば、ボタンを押し下げることができる。トリガー３００は、可撓性でとげのあるラッチ突起３１６も含み、ボタンロック３１０は、ラッチ面３１８も含み、ボタンが押し下げられるとラッチ突起３１６はラッチ面３１８と係合する。いったんラッチ突起３１６がラッチ面３１８と共に掛け金が掛かる（latched）と、トリガー３００は、ボタン３０２がその押し下げ位置にある状態で、永続的に保持される。
【００３９】
したがって、ハウジング１１２の中へ向かう方向にスリーブ１１９が動くこと、または言い換えれば、スリーブの突出端部が押し下げられること、により、停止ピン３１２が停止孔３１４と位置合わせされ、トリガーボタン３０２が押し下げられ、そのとき、ラッチ突起３１６およびラッチ面３１８によってボタン３０２がその押し下げ位置に保持される。スリーブ１１９は、注入装置の端部を、注入部位で皮膚と接触させることにより押し下げられてよく、このことは、他の事を切り離して、注入サイクルの開始前に、注入装置が適切に位置付けられることを確実にする。
【００４０】
トリガー３００を解放およびロックするため、そして注射器輸送部１２７を動かすために、スリーブ１１９を使用することは、スリーブ１１９が押し下げられるのを防ぐ、覆いを取り除くキャップ１１１と共に、素晴らしいデザインの統合注入装置を結果としてもたらす。
【００４１】
図８は、注入装置１１０の端部の代替的な実施形態を示し、図１に関して論じたのと全く同じように、ハウジング１１２の端部は、リム２２８ａにより形成された出口孔２２８を有する。図１〜図５のスリーブ１１９と全く同じようにロック機構の一部を形成するアーム２１９は、出口孔２２８から出る。各アーム２１９は、孔を有する円筒形端部セクション２１９ａに接続される。各アーム２１９は、その孔の内側において接続される。フランジ１１９ａと同様に、円筒形端部セクション２１９ａは、接触面２１９ｂを有し、接触面２１９ｂは、組織に押し付けられると組織に接触することができる。アーム２１９は、リム２２８ａの端部を通って延びるスロット２２８ｃの中に位置し、その中をスライドする。ハウジングの棚２２８ｂが、リム２２８ａの周辺部の周りに延び、この棚２２８ｂは、円筒形端部セクション２１９ａを受容し、かつ後方への動きを妨げるように構成される。
【００４２】
円筒形端部セクション２１９ａは、円筒形端部セクション２１９ａが棚２２８ｂから離れるロック位置から、円筒形端部セクション２１９ａがリム２２８ａの外側の周りで棚２２８ｂに並置接触して隣接する位置まで押し込まれる、非ロック位置まで、スライドすることができる。他の全ての態様では、注入装置１１０およびロック機構は、図４ａ、図４ｂおよび図５に関して前述したスリーブ１１９と同じように働く。
【００４３】
本発明は単に例として前記に説明されたものであり、細部の改変を本発明の範囲内で行うことができることが、当然理解されるであろう。
【００４４】
〔実施の態様〕
（１）  注入装置において、
放出ノズルを有する注射器を受容するように構成されたハウジングであって、前記注射器は、前記注入装置の作動時に、前記放出ノズルが前記ハウジング内部に収容される後退位置から、前記注射器の前記放出ノズルが出口孔を通って前記ハウジングから延出する延出位置まで、長さ方向軸に沿って前記ハウジングの中で動くことができる、ハウジングと、
アクチュエータと、
前記アクチュエータにより作用され、その後、前記注射器に作用して前記注射器をその後退位置から延出位置まで進めて、前記放出ノズルを通して前記注射器の中身を放出するように構成された、駆動装置と、
係合位置から、前記出口孔において前記ハウジングの中へ向かう方向へ、係合解除位置まで動くことができるロック機構と、
を含み、
前記ロック機構は、係合位置にあるときには前記装置の作動を妨げ、かつ係合解除位置にあるときには前記装置の作動を可能にするように構成され、
前記出口孔は、前記ハウジングの縁上に位置するリムにより画定され、
前記ロック機構は、前記リムの少なくとも一部の上またはその周りに延びるように構成された接触面を含む、注入装置。
（２）  実施態様１に記載の注入装置において、
前記ロック機構は、前記接触面から前記ハウジング内へ延びるアームをさらに含む、注入装置。
（３）  実施態様２に記載の注入装置において、
前記アームは、前記出口孔を通って前記ハウジング内へ延びる、注入装置。
（４）  実施態様３に記載の注入装置において、
前記出口孔の前記リムは、長円形または円形であり、
前記アームは、最初に前記出口孔の内面内部にくるように成形され位置付けられた、長円形または円形の断面を含む、注入装置。
（５）  実施態様２〜４のいずれかに記載の注入装置において、
前記リムは、開口部を含み、前記開口部を通って前記アームは前記ハウジング内へ延びる、注入装置。
【００４５】
（６）  実施態様２〜５のいずれかに記載の注入装置において、
前記ロック機構は、複数のアームを含む、注入装置。
（７）  実施態様６に記載の注入装置において、
前記ロック機構は、一対のアームを含む、注入装置。
（８）  実施態様１に記載の注入装置において、
前記ロック機構は、前記接触面から前記ハウジング内へ延びるスリーブをさらに含む、注入装置。
（９）  実施態様８に記載の注入装置において、
前記スリーブは、前記出口孔内に嵌まるように寸法が決められている、注入装置。
（１０）  実施態様１に記載の注入装置において、
前記出口孔の前記リムは、長円形または円形であり、
前記スリーブは、前記出口孔の内面内部に嵌まるように成形され位置付けられた、長円形または円形の断面を含む、注入装置。
【００４６】
（１１）  実施態様１〜１０のいずれかに記載の注入装置において、
前記接触面は、フープの第１の側に形成される、注入装置。
（１２）  実施態様１〜１１のいずれかに記載の注入装置において、
前記第１の側の反対側の、前記フープの第２の側が、前記出口孔の前記リムに面する、注入装置。
（１３）  実施態様１〜１２のいずれかに記載の注入装置において、
前記第２の側は、前記ロック機構がその係合位置から係合解除位置まで動くと、前記リムに向かって動く、注入装置。
（１４）  実施態様１〜１３のいずれかに記載の注入装置において、
前記解放機構は、前記解放機構がその係合解除位置にあるときに前記フープの内側半径が前記リムを取り囲むように、前記注入装置上に配列される、注入装置。
（１５）  実施態様１〜１４のいずれかに記載の注入装置において、
前記注射器が前進させられる際に前記注射器を運び、前記注射器がその延出位置を越えて進むのを抑制する、注射器輸送部であって、前記注射器を支持するように構成される、注射器輸送部と、
前記ロック機構の係合位置では、前記ハウジングに対する前記注射器輸送部の動きを妨げるように構成され、前記ロック機構の係合解除位置では、前記注射器輸送部が前記ハウジングに対して動くことを可能にするようにさらに構成された、ラッチ部材と、
をさらに含む、注入装置。
【００４７】
（１６）  実施態様１５に記載の注入装置において、
前記ロック機構は、前記係合位置と前記係合解除位置との間で動くことができる第１の部材を含む、注入装置。
（１７）  実施態様２〜７のいずれかに従属する実施態様１５に記載の注入装置において、
前記第１の部材は、前記接触面に接続された前記アームである、注入装置。
（１８）  実施態様８または９に従属する実施態様１５に記載の注入装置において、
前記第１の部材は、前記接触面に接続された前記スリーブである、注入装置。
（１９）  実施態様１６〜１８のいずれかに記載の注入装置において、
前記第１の部材は、ラッチ開口部を含み、前記ラッチ部材が前記注射器輸送部のロック面に係合する前に前記ラッチ部材は前記ラッチ開口部を通って突出し、前記第１の部材はカムとして、前記ラッチ部材はカム従動部として作用し、前記第１の部材がその係合位置から係合解除位置まで動くと、前記ラッチ部材が前記ロック面から係合解除される、注入装置。
（２０）  実施態様１９に記載の注入装置において、
前記ラッチ部材は、斜面を含み、前記第１の部材の表面は前記斜面に対して作用して、前記ラッチ部材を前記ロック面から係合解除する、注入装置。
【００４８】
（２１）  実施態様２０に記載の注入装置において、
前記ラッチ部材は、前記ハウジング上に設けられる、注入装置。
（２２）  実施態様１〜２１のいずれかに記載の注入装置において、
非作動位置と作動位置との間で動くことができる解放機構であって、非作動位置にあるときには前記アクチュエータが前記駆動装置に作用するのを妨げ、かつ作動位置にあるときには前記アクチュエータが前記駆動装置に作用することを可能にするように構成される、解放機構、
をさらに含む、注入装置。
（２３）  実施態様２２に記載の注入装置において、
前記ロック機構は、インターロック部材をさらに含み、前記インターロック部材は、前記ロック機構がその係合位置にあるときに前記解放機構がその非作動位置から作動位置へ動くのを妨げるロック位置と、前記解放機構がその係合解除位置にあるときに前記解放機構がその非作動位置から作動位置へ動くことを可能にする解放位置との間で動くことができる、注入装置。
【図面の簡単な説明】
【００４９】
【図１】キャップが固定される前の、本発明の一実施形態による注入装置の一端部の斜視端面図である。
【図２】キャップが固定されている、図１による注入装置の斜視端面図である。
【図３】図１の注入装置の側断面図である。
【図４ａ】図１の注入装置の上部断面図である。
【図４ｂ】図１の注入装置の上部断面図である。
【図５】図４ｂからの拡大切欠き図である。
【図６】注入装置がどのようにさらに改変され得るかを示す、断面概略図である。
【図７】そのような改変された注入装置の切り取り図である。
【図８ａ】本発明の代替的な実施形態による注入装置の端部を示す。
【図８ｂ】本発明の代替的な実施形態による注入装置の端部を示す。
【図１】
0005583663.tif 000002
【図２】
0005583663.tif 000003
【図３】
0005583663.tif 000004
【図４ａ】
0005583663.tif 000005
【図４ｂ】
0005583663.tif 000006
【図５】
0005583663.tif 000007
【図６】
0005583663.tif 000008
【図７】
0005583663.tif 000009
【図８ａ】
0005583663.tif 000010
【図８ｂ】
0005583663.tif 000011